(57)【要約】本発明は一種の総合ネットワークシステムを公開する。その主な特徴は下記の通りになる。中心交換システム、非IPプロトコルを実行するネットワーク及び一つ以上の総合サービス・データ・ネットワーク交換端末によって構成され；この中心交換システムが一台以上のコンピュータからなるデータ・ネットワークとして、一つ以上のネットワーク・コネクション・コントローラ・ユニットに繋がって制御して、コンピュータ毎に一つの基本交換ユニットがあり、ネットワークデータの獲得、解析と蓄積及びデータ・フォーマットの転換に使うものである；基本交換ユニットのアウトプットはIPネットワークにつながり、インプットはネットワーク・コネクション・コントローラ・ユニット、非IPプロトコルを実行するネットワークを経由して、総合ネットワークデータ交換端末に接続され、一つのネットワーク・コネクション・コントローラ・ユニットは一つ以上の基本交換ユニットに接続される。
2004530356.tif 000002
【特許請求の範囲】
【請求項１】
一種の総合ネットワーク交換システムで、その主な特徴は下記通り：中心交換システム、非IPプロトコルを実行するネットワーク及び一つ以上の総合サービス・データ・ネットワーク交換端末によって構成され；この中心交換システムが一台以上のコンピュータからなるデータ・ネットワークとして、一つ以上のネットワーク・コネクション・コントローラ・ユニットに繋がって制御して、コンピュータ毎に一つの基本交換ユニットがあり、ネットワークデータの獲得、解析と蓄積及びデータ・フォーマットの転換に使うものである；基本交換ユニットのアウトプットはIPネットワークにつながり、インプットはネットワーク・コネクション・コントローラ・ユニット、非IPプロトコルを実行するネットワークを経由して、総合ネットワークデータ交換端末に接続、一つのネットワーク・コネクション・コントローラ・ユニットは一つ以上の基本交換ユニットに接続される。
【請求項２】
請求項１の述べた総合ネットワーク交換システムの特徴は下記通り：ネットワーク・コネクション・コントローラ・ユニットはネットワーク・スイッチとネットワーク・コントローラからなり、基本交換ユニット同士の接続、制御とモニタリングを実現することである。
【請求項３】
請求項１の述べた総合ネットワーク交換システムの特徴は下記通り：非IPプロトコルを実行するネットワークは公衆電話ネットワーク（ＰＳＴＮ）またはケーブル・テレビ ・ネットワーク（ＣＴＮ）である。
【請求項４】
請求項１の述べた総合ネットワーク交換システムの特徴は下記通り：総合サービス・データ・ネットワークはメトロポリタン・エリア・ネットワーク（ＭＡＮ）或いはローカル・エリア・ネットワーク（ＬＡＮ）或いはバーチャル・プライベート・ネットワーク（ＶＰＮ）或いはオプティカル・ネットワーク（ＳＯＮＥＴ）或いはサテライト・データ・ネットワーク（ＶＡＳＴ）とする。
【請求項５】
請求項１の述べた総合ネットワーク交換システムの特徴は下記通り：総合ネットワーク交換端末は少なくともユニット・コントローラ・ユニット、ネットワーク・インターフェース・ユニットとユーザ・ユニット、電源ユニット及びバス・ユニットから構成する；ネットワーク・インターフェース・ユニットは直接コントローラ・ユニットと接続、ユニット・ユーザ・ユニットと電源ユニットはバス・ユニットを通じてコントローラ・ユニットに接続される。
【請求項６】
請求項５の述べた総合ネットワーク交換システムの特徴は下記通り：ユニット・コントローラ・ユニットは少なくともセントラル・プロセッシング・ユニット、データ・プロセッシング・ユニット、計時係ユニット、システム・ストレージ回路、データ・ストレージ・ユニット、ネットワーク・コネクト・ユニット、リセット・計時係ユニットとバス・ユニットを含む；その中、いずれのユニットはすべてセントラル・プロセッシング・ユニットに接続される。
【請求項７】
請求項５の述べた総合ネットワーク交換システムの特徴は下記通り：ネットワーク・インターフェース・ユニットは少なくともローカル・エリア・ネットワーク・インターフェースと広域ネットワーク・インターフェースを含む。
【請求項８】
請求項５の述べた総合ネットワーク交換システムの特徴は下記通り：ユニット・ユーザ・ユニットは少なくともアナログ・ユーザ・ループ・インターフェース・ユニット、スイッチング・ローカル・インターフェース・ユニット、ユーザ・ループ・ペア・インターフェース・ユニットとユーザ・ループ・ミクス・インターフェース・ユニットを含む。
【請求項９】
請求項６の述べた総合ネットワーク交換システムの特徴は下記通り：ネットワーク・コネクト・ユニットは少なくともローカル・エリア・ネットワーク・コネクト・ユニットと広域ネットワーク・コネクト・ユニットを含む。
【請求項１０】
請求項５の述べた総合ネットワーク交換システムの特徴は下記通り：電源ユニットは少なくともAC-DC電源スイッチング・ユニット、オプティカル隔離サンプリング回路とリング回路を含む。
【請求項１１】
請求項１０の述べた総合ネットワーク交換システムの特徴は下記通り：リング回路はシステム電源ボードに集成され、３２回線の電話リングをサポートする。
【請求項１２】
請求項１０の述べた総合ネットワーク交換システムの特徴は下記通り：サンプリング回路は多回路の電源アウトプットに対して同時にサンプリングを行う。
【請求項１３】
請求項１０の述べた総合ネットワーク交換システムの特徴は下記通り：電源ユニットはDC 5.0VやDC 3.3VやDC -48VやAC -96Vpp/20Hzを出力できる。
【請求項１４】
請求項６の述べた総合ネットワーク交換システムの特徴は下記通り：システム・ストレージ回路は直接マザー・ボードに嵌め込まれる。
【請求項１５】
請求項５の述べた総合ネットワーク交換システムの特徴は下記通り：バス・ユニットのバスの種類は少なくとも工業標準インターフェース、周辺装置インターフェース、通用シリアル・バス、スマート・ディスク装置とスモール・コンピュータ・システム・インターフェースを含む。
【請求項１６】
請求項８の述べた総合ネットワーク交換システムの特徴は下記通り：アナログ・ユーザ・ループ・インターフェース・ユニットはリング・ドライブ回路、総合通話ループ（ＰＯＴＳＩＣ）、リング・ループと音のコーディング・デコーディング回路から構成される。
【請求項１７】
請求項１６の述べた総合ネットワーク交換システムの特徴は下記通り：総合通話ループは一つ以上のライン・ファンクション・スイッチ、ボルトエージ・アンド・カレントセル・リミト・ループ、通話・待ち状態を制御するロジック回路、ラインの状態をモニタリングする回路から構成される。
【請求項１８】
請求項８の述べた総合ネットワーク交換システムの特徴は下記通り：ユーザ・ループ・ペア・インターフェース・ユニットはアナログ・ユーザ・ループ・インターフェースとセントラル・オフィスを混ぜて接続される。
【請求項１９】
請求項８の述べた総合ネットワーク交換システムの特徴は下記通り：ユーザ・ループ・ペア・インターフェース・ユニットは一つの電源モニタリング・ユニットを含み、ローカル電源が給電すると電源モニタリング・ユニットは公衆電話ネットワークをセントラル・オフィス・インターフェース回路に切り替える；ローカル電源が給電しない時、電源モニタリング・ユニットは公衆電話ネットワークをアナログ・ユーザ・ループ・インターフェース回路に接続、これによってユーザ電話が公衆電話ネットワークに接続される。
【請求項２０】
請求項１の述べた総合ネットワーク交換システムの特徴は下記通り：基本交換ユニットは少なくともユニフォーム・アクセス・プラットフォーム、ユニフォーム交換プラットフォームと一つ以上のバックグラウンド・サーバから構成され、ユニフォーム交換プラットフォームはネットワーク・インターフェース・ユニットを通じてユニフォーム・アクセス・プラットフォームと接続、同時に統一のバックグラウンド・サーバ・インターフェースを通じてバックグラウンド・サーバに接続される。
【請求項２１】
請求項２０の述べた総合ネットワーク交換システムの特徴は下記通り：ユニフォーム・アクセス・プラットフォームはコール・マネージャー・ユニット、デバイス管理ユニットとデバイス・スキャニング・ユニットから構成され、ユーザ・データはデバイス・スキャニング・ユニットよりアクセスしてIPデータに転換して、デバイス管理ユニットに送って解析を行い、コール環境を作り、同時にデバイスオペレーションの処理を制御してから、コール・マネージャー・ユニットにコールリクエストを行い、コール・マネージャー・ユニットはネットワーク・インターフェース・ユニットを通じてユニフォーム交換プラットフォームのタスク配分装置に接続される。
【請求項２２】
請求項２０の述べた総合ネットワーク交換システムの特徴は下記通り：ユニフォーム交換プラットフォームは少なくとも任務配分用のタスク配分ユニット・ユニット；交換層メンテナンス・管理用のマネージメント・ファンクション・ユニット；データ提供用のデータ・ベース；データ・サービスや音声サービスやビデオ・サービス・コール提供用のユニフォーム・コール・ユニットを含み、タスク配分装置ユニット、マネージメント・ファンクション・ユニットはユニフォーム・コール・ユニットと接続し、マネージメント・ファンクション・ユニットとユニフォーム・コール・ユニットは統一のバックグラウンド・サーバ・インターフェースを通じてバックグラウンド・サーバに接続される。
【請求項２３】
請求項２０の述べた総合ネットワーク交換システムの特徴は下記通り：バックグラウンド・サーバは少なくとも電話番号を調べるための番号サーバ；地域や時間帯の区別による違う費用率を提供する費用率サーバ；ユーザへの権限付与を検証する検証サーバ；費用計算の機能を完成するためのビリング・サーバ；交換システムの運転状態をモニタリングするパフォーマンス・モニタリング・サーバから構成され、前記各サーバはユニフォーム交換プラットフォームのバックグラウンド・サーバ・インターフェースを通じてユニフォーム交換プラットフォームに接続される。
【発明の詳細な説明】
【技術分野】
【０００１】
本発明は交換システムに関するものである。特にIP交換技術を利用して非IPネットワークとIPネットワークを相互に連結、関係業務処理を完成する総合ネットワーク交換システムを指す。
【背景技術】
【０００２】
今頃、各種のネットワーク及びマルチメディア技術は飛躍的な発展を遂げ、それぞれ異なるサービスを伝送できる。例えば音声、データ、画像及びビデオがある。また互いに伝送する方法もいろいろあり、データ交換、データ・パケット組み立て、透明伝送、インフォメーション・ユニットなどが挙げられる。その中にインターネット即ちIPネットワークが広範囲に利用され、長さの固定されたIPインフォメーション・ユニット、即ちIPデータ・パケットを使って封入したユーザ・データを伝送し、封入した情報は伝送の経過に関係しない。IPは封入した情報に関係せずユーザ・データを処理することができるので伝送方式は簡潔、便利になり、伝送効率も高くなった。今までの非IPネットワークとネットワークの相互の連結は普通IPゲートウエー（GATEWAY）とゲートキーパー（GATEKEEPER）を通じてIPネットワークに接続する。このようなシステムは構造が複雑化し、ネットワーク作りと拡張は困難であり、新しいサービスの拡張も難しい。そして、一種類の設備では多種類の非IPネットワークが同じのIPネットワークに接続することはできない。今では多種類の非IPネットワークが同じIPネットワークに繋がる交換装置があるが、装置は値段が高く、もし多種類の機能を実現するには市場に受け入れられないほどコストが相当高くなる。
【発明の開示】
【発明が解決しようとする課題】
【０００３】
これに鑑み、本発明の主な目的は各種の非IPネットワークがIPネットワークとお互いに通信でき、同時にすべてのネットワークを音声とデータの伝送及び交換ができるネットワークに統一することにある；システムの構造が簡潔、ネットワーク作りが簡単；製品の性能を高めると同時にコストを低減；新しいサービスの種類を増加、割合高い性能対コスト比を実現。
【０００４】
本発明のもう一つの目的は一つの総合ネットワーク交換システムを提供することであり、これによってシステム全体の効率の良い拡張性能、新サービスを簡易に実現、また音とデータの伝送及び交換を簡易に実現できるようになる。
【課題を解決するための手段】
【０００５】
上述した目的を実現するには、本発明は下記の技術案を使っている：
【０００６】
一種の総合ネットワーク交換システムで、その主な特徴は下記通り：中心交換システム、非IPプロトコルを実行するネットワーク及び一つ以上の総合サービス・データ・ネットワーク交換端末によって構成され；この中心交換システムが一台以上のコンピュータからなるデータ・ネットワークとして、一つ以上のネットワーク・コネクション・コントローラ・ユニットに繋がって制御して、コンピュータ毎に一つの基本交換ユニットがあり、ネットワーク・データの獲得、解析と蓄積及びデータ・フォーマットの転換に使うものである；基本交換ユニットのアウトプットはIPネットワークにつながり、インプットはネットワーク・コネクション・コントローラ・ユニット、非IPプロトコルを実行するネットワークを経由して、総合ネットワーク・データ交換端末に接続、一つのネットワーク・コネクション・コントローラ・ユニットは一つ以上の基本交換ユニットに繋がる。
【０００７】
その中、ネットワーク・コネクション・コントローラ・ユニットはネットワーク・スイッチとネットワーク・コントローラを含んで、基本交換ユニット同士の接続、制御とモニタリングを実現する。非IPプロトコルのネットワークは公衆電話ネットワーク或いはケーブル・テレビ・ネットワークを指し、総合サービス・データ・ネットワークはローカル・エリア・ネットワークやバーチャル・プライベート・ネットワークやケーブル・テレビ・ネットワークやオプティカル・ネットワークやサテライト・データ・ネットワークを指す。
【０００８】
総合ネットワーク交換端末はコントローラ・ユニット、ネットワーク・インターフェース・ユニット、ユーザ・ユニット、電源ユニットとバス・ユニットから構成される；ネットワーク・インターフェース・ユニットは直接コントローラ・ユニットと接続、ユーザ・ユニットと電源ユニットはバス・ユニットを通じてコントローラ・ユニットと接続する。バス・ユニットのバスの種類は少なくとも工業標準インターフェース、周辺装置インターフェース、ユニバーサル・シリアル・バスとスマート・ディスク装置とスモール・コンピュータ・システム・インターフェースを含む。
【０００９】
コントローラ・ユニットは少なくともセントラル・プロセッシング・ユニット、データ・プロセッシング・ユニット、計時係ユニット、システム・ストレージ回路、データ・ストレージ・ユニット、ネットワーク・コネクション・ユニット、リセット・計時係ユニットとバス・ユニットを含む；その中で、いずれのユニットはセントラル・プロセッシング・ユニットに繋がる。システム・ストレージ回路は直接マザー・ボードに嵌め込まれる。
【００１０】
ネットワーク・インターフェース・ユニットは少なくともローカル・エリア・ネットワーク・インターフェースと広域ネットワーク・インターフェースを含む。ユニット用ユーザ・ユニットは少なくともアナログ・ユーザ・ループ・インターフェース・ユニット、総合通話ループ（POTSIC）セントラル・オフィス・インターフェース・ユニット、ユーザ・ループ・ペア・インターフェース・ユニット、ユーザ・ループ・ミクス・インターフェース・ユニットを含む。ネットワーク・コネクション・ユニットは少なくともローカル・エリア・ネットワーク・コネクション・ユニットと広域ネットワーク・コネクション・ユニットを含む。
【００１１】
総合通話ループ（POTSIC）は少なくてもライン・ファンクション・スイッチ回路、AC-DC回路、ボルトエージ・アンド・カレントセル・リミト・ループ、ラインの状態をモニタリングする回路、コントローラ・ロジックを含む。ライン・ファンクション・スイッチ回路はリレー、MOS、TRIACとスイッチから構成しても結構である；AC-DC回路は全周波数ダイオード、整流ブリッジから構成しても結構である；ボルトエージ・アンド・カレントセル・リミト・ループはトランジスタ、ダリンートン、整流器で構成しても結構である；ライン状態モニタ回路は光カップリング素子から構成できる；コントローラ・ロジックはデジタル・ロジックゲート回路或いは集成ロジックから構成する回路でも結構である。
【００１２】
アナログ・ユーザ・ループ・インターフェース・ユニットは主にリング・ドライブ回路、通話や待ち状態ループ回路、リング・ループ回路、音声のコーディング・デコーディング回路から構成される。ユーザ・ループ・ペア・インターフェース・ユニットはアナログ・ユーザ・ループ・インターフェースとセントラル・オフィスを混ぜて接続する。ユーザ・ループ・ペア・インターフェース・ユニットは一つの電源モニタリング・ユニットを含む。ローカル電源が給電する時電源モニタリング・ユニットが公衆電話ネットワークをスイッチング・ローカル・インターフェース回路に切り替える；ローカル電源が給電しない時、電源モニタリング・ユニットは公衆電話ネットワークをアナログ・ユーザ・ループ・インターフェース回路と接続、ユーザの電話が公共電話ネットワークと接続される。
【００１３】
総合ネットワーク交換端末の電源ユニットは少なくともAC-DCユニット、オプティカル隔離サンプリング回路とリング回路を含む。その中のリング回路はバックボートの形でシステム電源ボードに挿し込み、３２の電話リング回線を支える。サンプリング回路は多回線の電源アウトプットに対して当時にサンプリングを行う。電源ユニットはDC 5.0VやDC 3.3VやDC -48VやAC -96Vpp/20Hzを出力できる。
【００１４】
基本交換ユニットは少なくともユニフォーム・アクセス・プラットフォーム、ユニフォーム交換プラットフォーム及び一つ以上のバックグラウンド・サーバによって構成され、ユニフォーム交換プラットフォームはネットワーク・インターフェース・ユニットを通じて、ユニフォーム・アクセス・プラットフォームに繋がって、同時に統一のバックグラウンド・サーバ・インターフェースを通じてバックグラウンド・サーバに接続される。
【００１５】
その中にユニフォーム・アクセス・プラットフォームはコール・マネージ・ユニット、設備管理ユニット及び設備走査ユニットから構成され、ユーザ・データは設備走査ユニットによってアクセスしてIPデータに転換して、設備管理ユニットに伝送して、設備管理ユニットで解析してコール条件を作り、同時に設備操作の処理を制御してから、コール・マネージ・ユニットへ接続のリクエストを出し、コール・マネージ・ユニットはネットワーク・インターフェース・ユニットを通じてユニフォーム交換プラットフォームのタスク配分装置に繋がる。
【００１６】
ユニフォーム交換プラットフォームは少なくとも任務指定用のタスク配分装置ユニット；交換層のメンテナンス管理用のマネージメント・ファンクション・ユニット；データ提供用のデータ・ベース；データ・電話・ビデオ・サービス・コール用のユニフォーム・コール・ユニットから構成され、タスク配分装置ユニット、マネージメント・ファンクション・ユニットとユニフォーム・コール・ユニットに接続され、マネージメント・ファンクション・ユニットとユニフォーム・コール・ユニットは統一のバックグラウンド・サーバ・インターフェースを通じてバックグラウンド・サーバに接続される。
【００１７】
バックグラウンド・サーバは少なくても電話番号調べ用のコード・サーバ；地域や時間帯より違う費用率を提供する費用率サーバ；ユーザへの権限付与を検証する検証サーバ；費用計算用のビリング・サーバ；交換システムの運転状態監視用のパフォーマンス・モニタ・サーバから構成され、前記各サーバがユニフォーム交換プラットフォームのバックグラウンド・サーバ・インターフェースを通じてユニフォーム交換プラットフォームに接続される。
【００１８】
統一交換システムは電話の通信範囲を伝統的な単一の公衆電話ネットワーク（PSTN）からローカル・エリア・ネットワーク、メトロポリタン・エリア・ネットワーク（LAN、MAN）、広域ネットワーク（WAN）、及び企業や団体のプライベートのVPNまで広げる；電話通信の伝送媒介物はダブル撚り線、５類データライン、TVケーブルと光ファイバーでも結構である。電話通信のプロトコルがIPv4、IPv6、ATMやH.323に基づくものである。
【００１９】
以上の説明により明らかになったのは、本発明の総合ネットワーク交換システムは主に中心交換システムと非IPプロトコルを実行するネットワーク及び総合ネットワーク交換端末から構成され、この中心交換システムの一端が非IPネットワークに接続され、もう一端がIPネットワークに接続され、すべての非IPネットワークとIPネットワークとの接続された、データ伝送、データ交換を実現する核心的な設備で、各種類のネットワークを統一させる核心のプラットフォームである。この中心交換システムはデザインではIPパケッジの交換を核心技術として、データ、IPパケッジの処理はセントラル・プロセッシング・ユニットと若干のデータ・プロセッシングによって完成する。広域ネットワーク、ローカル・エリア・ネットワークのデータ交換はイーサネットを基本にして、増強型アナログ・ユーザ・ループ・インターフェースの周辺回路と独立したプライベート・プロトコル・ソフトウェア・プラットフォームから構成される。即ち普通のコンピュータはプラットフォームとして、イーサネット・コントローラとネットワーク・スイッチは接続設備の交換システムとして各種類の非IPネットワークのIPネットワークとの接続、情報交換処理を完成する。その内容は非IPネットワークより各種類の情報の獲得、記憶、分析、処理、分類、データの形式の交換、パッケジ-アンパッケジ、交換と伝送を含む。IPネットワークを基本にする統一制御することに関しては、ネットワーク・システム流量の制御、違う種類のサービスの区別、違う伝送データの優先順位の制御、データの秘密コード化、その解読、データの受信、発信と記憶を含む。総合ネットワーク交換端末はカスタマー・プレミスーに置いて、中心交換システムを協力して用いて、非IPネットワークとIPネットワークとの相互接続をさせる。或いは二つの非IPネットワークのユーザがIPネットワークを通じてマルチメディアの転送を実現させ、その通信がより便利で安全になる。
【００２０】
以上の説明により明らかなように、本発明が提供する総合ネットワーク交換システムはシステムのハードウェア・プラットフォームが開放的なコンピュータプラットフォームの為、交換制御は主にソフトウェアで実現することになる。その為、システムは強い拡張性能を持ち、新設のサービスを簡易に実現できるものである。当該システムは非IPネットワークとIPネットワークとを緊密に接続させる。コンピュータとイーサネット・プラットフォームを利用することにより、システムの性能を高めると同時にコストを引き下げ、新しいサービスの種類を増やし、高いコスト・パフォーマンスを実現する。
【発明の効果】
【００２１】
本発明は新しい交換システムを提起した。これはIPを基礎にして、アクセス・レベルの統一を実現するだけでなく交換レベルの統一も実現した。公衆電話ネットワーク（PSTN）、ローカル・エリア・ネットワーク、メトロポリタン・エリア・ネットワーク（LAN、MAN）、広域ネットワーク（WAN）、及び企業や団体に属するバーチャル・プライベート・ネットワーク（VPN）、この五つのネットワークは一つになって、電話通信とデータ交換に利便性を提供するだけではなく、ネットワーク作りにおいてはコストを節約でき、企業ユーザの為に統一ネットワークでそれぞれの各種類の新サービスを簡単に提供できるようになる。
【００２２】
本発明はバックグラウンド・サーバを利用し一連のサービスを提供する。それぞれのユニットは違う機能を提供する。業者が簡単にもっと満足したサード・パーティー・ソフトウェアで前世代のソフトウェアに取って代われるようになる；IP電話は多くの新サービスを提供できる；マーケット費用率、付加費用率を定義できる；すべての通話記録のトレースもできる；ユーザはネットワークの混雑を避けるには費用割高、質のサービスを選択できるようになる。
【発明を実施するための最良の形態】
【００２３】
以下、付属図面と実施例を使って、本発明をさらに詳しく説明する。
【００２４】
図１に示すように、この中心交換システムは３層から構成され：ユニフォーム・アクセス・プラットフォーム１１、ユニフォーム交換プラットフォーム１２、及びバックグラウンド・サーバ１３である。バックグラウンド・サーバ１３は異なる機能の管理サーバを含む。例えば：番号サーバ、費用率サーバ、検証サーバ、ビリング・サーバ、パフォーマンス・モニタリング・サーバである。その中の番号サーバが電話番号を調べる；費用率サーバが地域や時間帯より違う費用率を提供する；検証サーバがユーザへの権限付与を検証する；ビリング・サーバが費用計算の機能を完成する；パフォーマンス・モニタリング・サーバが交換システムの運転状態をモニタリングする。
【００２５】
ネットワークに接続したユーザはユニフォーム・アクセス・プラットフォーム１１を通じて中心交換システムに接続し、いろいろなネットワーク・データ情報がユニフォーム・アクセス・プラットフォーム１１とユニフォーム交換プラットフォーム１２で処理され、統一してIPパケッジに変換されてからIP伝送を基礎にするネットワークに出力され、バックグラウンド・サーバ１３が異なる機能のサーバを制御する。
【００２６】
図２に示すとおり、中心交換システムの基本交換ユニットはユニフォーム交換プラットフォーム、ユニフォーム・アクセス・プラットフォーム、バックグラウンド・サーバ、及びバックグラウンド・サーバ・インターフェースとネットワーク・インターフェース・ユニットを含む。その中に、ユニフォーム交換プラットフォームはタスク配分装置、マネージメント・ファンクション・ユニット、ユニフォーム・コール・ユニット、データ・ベース、及びバックグラウンド・サーバ・インターフェースより構成される。ユニフォーム・アクセス・プラットフォームはコール・マネージ・ユニット、設備管理ユニット、及び設備走査ユニットにより構成される。
【００２７】
タスク配分装置はユニフォーム交換プラットフォームの中でタスクの配分を行う。マネージメント・ファンクション・ユニットはユニフォーム交換プラットフォームのメンテナンス、管理、端口の測定、調査などを行う。ユニフォーム・コール・ユニットはすべての電話入力に対して統一コール処理とプロセス制御を行って、会話の相関機能、データ・サービス、音声サービス、画像サービス、ビデオ・サービスを含む如何なるサービスに対しても統一のコール管理と制御を提供する。これによって、すべてのサービスはユニフォーム交換プラットフォームで統一して交換できるようになった。データが発呼するときにデータを提供する。
【００２８】
設備走査ユニットはユーザのデータをIPデータに転換し、設備管理ユニットはデータ解析とコール条件作りを行い、同時に設備操作の処理を制御してから、コール・マネージ・ユニットにコール接続リクエストを出し、コール処理ユニットはコールリクエストを処理する。
【００２９】
ユニフォーム交換プラットフォームがネットワーク・インターフェース・ユニットを通じてユニフォーム・アクセス・プラットフォームに接続し、ネットワーク・インターフェース・ユニットがユニフォーム交換プラットフォームの中の各ユニットの通信を保障する。ユニフォーム交換プラットフォームで他のユニットと通信する必要があるユニットがネットワーク・インターフェースを介して通信するとき、ネットワーク・インターフェース・ユニットが一つの情報端口を配布して、この情報端口に関して物理上はデータに構成され、他のユニットがこのユニットへの情報をキャッシュする。常にユニットは情報をアクセスする部分をできるだけ各々のユニットの情報端口から受信する。情報端口の情報を受信し終わると情報受信を実行する処理過程が中止され、この情報端口のデータを書き込み終わると、この端口の信号を監視する記号が読み取れる状態を表示する。
【００３０】
バックグラウンド・サーバ・インターフェースでユニフォーム交換プラットフォームとバックグラウンド・サーバの間の通信を実現する。
【００３１】
図３では、中心交換システムは主に基本交換ユニット、ネットワーク・コネクション・コントローラ・ユニットを含む。その中で、基本交換ユニットの入力端口がいろいろなネットワークに繋がることができる。例えば：公共電話ネットワーク、総合サービス・データ・ネットワーク、ローカル・エリア・ネットワーク、バーチャル・プライベート・ネットワーク、ケーブル・テレビ・ネットワーク、オプティカル・ネットワーク、サテライト・データ・ネットワークである。若干の基本交換ユニットが一つのネットワーク・コネクション・コントローラ・ユニットに接続され、全部のネットワーク・コネクション・コントローラ・ユニットの出力端口がIPを基礎にするネットワークに接続される。いろいろな異なるデータが基本交換ユニットで転換され、IPパケットになって、それからネットワーク・コネクション・コントローラ・ユニットで接続され、制御してIPを基礎にするネットワークに通信する。
【００３２】
図４は、総合ネットワーク交換端末の要部構成を示すブロック図である。この端末が主にコントローラ・ユニットとバス・ユニット、及びいろいろなユーザ・ユニット、ネットワーク・インターフェース・ユニット、電源ユニットを含む。主な作用とはいろいろなネットワーク情報の獲得、記憶、審査、分析、分類、及びデータの形式の転換である。その中で、ネットワーク・インターフェース・ユニットはローカル・エリア・ネットワーク・インターフェース・ユニット、広域ネットワーク・インターフェース・ユニットを含む。また、ユーザ・ユニットがアナログ・ユーザ・ループ・インターフェース・ユニット、セントラル・オフィス・インターフェース・ユニット、ユーザ・ループ・ペア・インターフェース・ユニット及びユーザ・ループ・ミクス・インターフェース・ユニットを含む。ネットワーク・インターフェース・ユニットは直接にコントローラ・ユニットに接続され、ユーザ・ユニットと電源ユニットがバス・ユニットを通してコントローラ・ユニットに接続される。
【００３３】
図５は、総合ネットワーク交換端末のコントローラ・ユニットの構成を示すブロック図である。ユニットを制御する作用は主に全部のシステムを調整して、タスクの配分、制御、及び各部分の作業状況を監視することである。コントローラ・ユニットはセントラル・プロセッシング・ユニットとデータ・プロセッシング・ユニットとシステム・ストレージ回路とデータ・ストレージ・ユニットとバス・ユニット・インターフェースと広域ネットワーク・コネクション・ユニットとローカル・エリア・ネットワーク・コネクション・ユニットと計時係ユニットとリセット計時係ユニットを含む。ユニットとユニットの繋がりは周辺装置インターフェー（PCI）バス、工業標準インターフェース（ISA）バスや他の専用バスを通じて実現する。
【００３４】
システム・ストレージ回路は全部のユニット・プロセッシング・オペレーション・データを置く場所でありストレージをマザー・ボードに嵌め込んで、ユニットの空間を省いた。そうすることにより、ストレージ・チップがセントラル・プロセッシング・ユニットにより近くなり、システムの安定性を向上させる。
【００３５】
バス回路が遠隔ブート機能とシステムをモニタリングする機能を有しており、システムに遠隔ネットワークでオペレーション・システムを操作できるため、空間を省いた。
【００３６】
セントラル・プロセッシング・ユニット回路が高集積、多機能なインターフェース・チップを利用してISA、PCI、ユニバーサル・シリアル・バス（USB）、インテリジェント・ドライブ・エレクトロニクス（IDE）、スモール・コンピュータ・システム・インターフェース（SCSI）などいろいろなバスが拡張でき、システム・インターフェースの拡張がより易しくなる。
【００３７】
システムではインターフェース・チップとセントラル・プロセッシング・ユニットが省エネルギー球柵陳列（BGA）を利用するため、システムに能率の消耗を減少させ、回路ボードの体積が小さくなる。
【００３８】
リセット回路に専用チップを利用するため、リセット信号がより精確になり、回路の体積が小さくなる。
【００３９】
コントローラー・ユニット回路が一般的なPCよりキーボード回路、モニタリング駆動回路、ディスク回路、ISA差込口、PCI差込口など電源ボードの体積を大きく占めている回路を省略して単位主回路ボードが小さくなり、システムの体積が小さくなる。
【００４０】
データ・プロセッシング・ユニット模擬部品会社の高速デジタル・プロセッシング・ユニットADSP21XXシリーズチップを利用する。このシリーズ・データ・プロセッシングは体積が小さく、能耗が低く、指令への処理が速い。チップの接合形式がソフトウェアで自由に設定することができる。このチップを利用して音声への処理が速くなり、ユニットの体積が小さくなり、能耗が低くなる。
【００４１】
計時系ユニットが時計回路に構成され、システムに統一した時間標準を提供する。ユニットが専用時計チップと修正回路を利用して、高安定性の時間信号を発生させて、時間の確実性を高めさせて、ユニットの体積が小さくなる。
【００４２】
データ・ストレージ・ユニットがシステムデータの確実性とシステムの耐震性を高めさせて、特に体積を大幅に減少させた。
【００４３】
ユーザ・ユニットはユーザに違うユーザ・ユニットの入れ替えを通じて交換システムのPSTN（公衆電話ネットーク）への接続を実現する。ユーザ・ユニットが下記のユニットを含む：
【００４４】
１．アナログ・ユーザ・ループ・インターフェース・ユニット：
アナログ・ユーザ・ループ・インターフェース・ユニットは電話が交換システムへ接続する主なユニットである。このユニットは総合通話ループ回路を利用するものである。今までのインターフェース回路は主に専用なチップと個別部品に構成され、システムの構造が複雑化し精確なレジスタンスとコンデンサーがたくさん要るから、国よっては適し難く、そして、コストが高い。総合通話ループ回路を利用して、こういうような問題点が解決した。図８のように、このユニットが通話や待ち状態を制御するロジック回路、ボルトエージ・アンド・カレントセル・リミト・ループ、リング・ドライブ及びリング・ループ、二電話回線と四電話回線の転換、受信、発信回路、及びラインの状態をモニタリングする回路を含む。通話や待ち状態を制御するループはリング・ドライブと完全に分離する技術を利用し回路が簡単になる。通話や待ち状態を制御するロジック回路に関して回路が待ち状態や通話状態のとき国によって違う標準の電力を提供できる；電話は通話や待ち状態を制御するロジック回路に接続されるか、リング・ループに接続されるか、隔離スイッチで制御する；通話や待ち状態を制御するロジック回路にオプティカル隔離サンプリングを利用して、ユニットが自動的に通話状態や待ち状態を認識できる；通話や待ち状態を制御するロジック回路とリング・ドライブ及びリング・ループの間のロジック回路がユニットで電話をかけ終わった時にリングの音を消し、音声の受信、発信回路で騒音の防止ができる。
【００４５】
２．セントラル・オフィス・インターフェース・ユニット：
ユーザ・ユニットに属するもう一種類のユニットであるセントラル・オフィス・インターフェース・ユニットは総合通話ループ回路に構成される。図８のように、主な機能とは：AC-DC、リング信号の受信、ボルトエージ・アンド・カレントセル・リミト・ループ、二電話回線と四電話回線の転換、受信、発信及びラインの状態をモニタリングすることである。
【００４６】
３．ユーザ・ループ・ペア・インターフェース・ユニット：
ユーザ・ループ・ペア・インターフェース・ユニットとはアナログ・ユーザ・ループ・インターフェース回路が電源モニタリング・ユニットを経由してセントラル・オフィス・インターフェース回路に接続されたユニットである。図７のように、このユニットは停電に対する措置を改良したものである。ユーザの電話がいろいろ理由でローカル電力を得られない時、ユニットが自動的に位置を変わって直接公衆ネットワークに接続して、公衆ネットワークから電力を得て電話に提供する。自動的にモニタリングすることを図７に示す電源モニタリング・ユニットで実現する。ローカル電源が供電すると電源モニタリング・ユニットが公衆電話ネットワークをセントラル・オフィス・インターフェース回路に入れ替える；ローカル電源が供電しないと電源モニタリング・ユニットが公衆電話ネットワークをアナログ・ユーザ・ループ・インターフェース回路に接続し、電話が公衆電話ネットワークに繋がる。このようなペア・インターフェース・ユニットが電話通信の有効性を改善し、市場の需要に見合う。
【００４７】
ネットワーク・コネクション・コントローラ・ユニットにネットワーク・スイッチとネットワーク・コントローラを含んで、基本交換ユニットの間に接続され、制御、モニタリングができるようになる。
【００４８】
このハードウェア基部の実現は国際標準のイーサネットチップであり、このチップは機能が多く、受信、発信、修正、制御することができる。チップの体積が小さいので、ユニットの体積も小さくなる。ネットワーク・コントローラー・ユニットはネットワークの安定性と流れの均衡性と反応の速さと情報の優先度を統一して制御する。
【００４９】
図６のように、電源ユニットはAC-DCユニット、オプティカル隔離サンプリング回路とリング回路を含む。この電源ユニットが改良系スイッチ電源の技術を利用して多路の電源のアウトプットを生じて、同じユニット回路ボードで電話リング電源を実現する。その中に、サンプリング回路が多路のアウトプットに見本抽出して、各回路に電圧を安定させる；リング回路が振動と駆動回路を利用してシステム電源ボードに集成することで、小さい空間で電源とリング二つの重要な機能を実現する。電源ユニットの出力が安定しさざ波もあまり立たない；電源はDC 5.0VやDC 3.3VやDC -48VやAC -96Vpp/20Hzを出力できる。三十二電話回線をサポートする。
【００５０】
図９のように、本総合ネットワーク交換端末が多種類のネットワーク・インターフェースをサポートする：10/100兆Internet広域ネットワーク・インターフェース８２、企業サーバ・インターフェース８３、三十二電話回線公衆ネットワーク・インターフェース８４、三十二電話ユーザ回線８６、八路ローカル・エリア・ネットワーク10/100兆インターフェース８５、及び総合配分、管理インターフェース８１；本総合ネットワーク交換端末が広域ネットワーク（Internet）、ローカル・エリア・ネットワーク（LAN）、公衆電話ネットワーク（PSTN）及びバーチャル・プライベート・ネットワーク（VPN）の間におけるIP電話での通話、ボイスメールボックスとCTI Conferenceの交換、共用Internet、企業用ファイアウォール及び遠隔総合配置、管理を実現する。
【００５１】
本総合ネットワーク交換システムの実施は図１０のように、電話、データ、映像の対話型通信の統一を実現する。総合ネットワーク交換端末９０を通じて、ローカル公衆電話ネットワークの電話９１、企業の内部の電話９３、企業のローカル・エリア・ネットワークに繋がるコンピュータ電話９２、広域ネットワークに繋がる電話９４の間に互いに呼び出しや相互電話会議を行うことができる。呼び出しが二つの総合ネットワーク交換端末９０を通じて成り立つ時、企業のローカル・エリア・ネットワークに繋がるコンピュータ電話９２から企業の内部の電話９３への呼び出しはバーチャル・プライベート・ネットワークの形式で行うことができ、通信過程を保護する。
【００５２】
データの通信は音声の処理と同じように総合ネットワーク交換端末９０の実施によって、企業用ローカル・エリア・ネットワーク、企業用バーチャル・プライベート・ネットワーク、広域ネットワークが一体になって、総部と従属の通信の互換や総部と個人の通信の互換や家で仕事をする人の間での通信の互換が便利になる。
【００５３】
対話型マルチメディアの通信も総合ネットワーク交換端末９０の実施によって便利に実現できる。音声、データ、画像及びビデオなどの媒体の流れが統一書式のデータ流れで互換する。そして、互換の範囲が企業のローカル・エリア・ネットワーク、企業用バーチャル・プライベート・ネットワーク、公衆電話ネットワーク及び広域ネットワークに含まれる。対話型マルチメディアに統一の通信プラットフォームを提供する。
【００５４】
図２のように、ユニフォーム・コールを実現する流れは次のようになる：
コール装置２００がアクセス・ネットワークを通じて基本交換ユニットに接続される。コール装置２００が呼び出しを要請するとき、この呼び出す要請がアクセス・ネットワークを経由して基本交換ユニットへいく。この基本交換ユニットのユニフォーム・アクセス・プラットフォームの設備走査ユニットが呼び出しに関する情報を処理してIPネットワークに通信できるプロトコルとデータに転換して、設備管理ユニットに伝送してから統一のアクセスとして管理をする。ステップ２１、設備管理ユニットが提出したデータを分析して、発呼環境を作り、アクセス設備の操作を制御して、コール・マネージ・ユニットに呼び出しと接続の要請をする。ステップ２２、コール・マネージ・ユニットが呼び出す要請を受信してから、呼び出しの状態と過程を制御してネットワーク・コネクション・コントローラ・ユニットを通じてユニフォーム交換プラットフォームへの接続に互換性を持たせ、ステップ２３、タスク配分装置ユニットでユニフォーム・アクセス・プラットフォームからの通信要請を分析してから、ユニフォーム・コール・ユニットへ伝送して次の処理をする。ステップ２４、ユニフォーム・コール・ユニットが全部の受信と発信の過程を処理、制御して、音声に関する機能を実現し、ステップ２５、統一のバックグラウンド・サーバ・インターフェースを通じて功能業務サーバへ報告して、他のシステムと協同して業務を完成し、ステップ２６，２７、受信するアクセス・プラットフォームに呼び出しのアクセスをすることを知らせる。ステップ２８、受信するアクセス・プラットフォームのコール・マネージ・ユニットが接続する要請をアクセスしてから、受信の処理をして、発呼環境を作る。そして、呼び出しを制御して、設備管理ユニットの操作機能を利用して、ステップ２９、設備走査ユニットを通じてアクセス装置が認識できる制御指令に転換して、ステップ３０、目的アクセス装置２０１に伝送する。
以上述べた実施例は、本発明に適用したが、本発明の保護範囲を制限するためではない。
【図面の簡単な説明】
【００５５】
【図１】本発明の中心交換システムの構成を示すブロック図。
【図２】本発明の基本交換ユニットの構成を示す及びデータの処理の流れを示すブロック図。
【図３】本発明の総合ネットワーク交換システムの要部構成を示すブロック図。
【図４】本発明の総合ネットワーク交換端末の要部構成を示すブロック図。
【図５】本発明の総合ネットワーク交換端末のコントローラ・ユニットの構成を示すブロック図。
【図６】本発明の電源ユニットの構成を示すブロック図。
【図７】本発明のシステム・アクセス・レイヤ・ユニットの構成を示すブロック図。
【図８】本発明の総合通話ループ（POTSIC）ユニットの構成を示すブロック図。
【図９】本発明の総合ネットワーク交換端末を実施する例を示すブロック図。
【図１０】本発明を詳しく実施する例を示すブロック図。
【図１】
2004530356.tif 000003
【図２】
2004530356.tif 000004
【図３】
2004530356.tif 000005
【図４】
2004530356.tif 000006
【図５】
2004530356.tif 000007
【図６】
2004530356.tif 000008
【図７】
2004530356.tif 000009
【図８】
2004530356.tif 000010
【図９】
2004530356.tif 000011
【図１０】
2004530356.tif 000012
【国際公開パンフレット】
2004530356.tif 000013
2004530356.tif 000014
2004530356.tif 000015
2004530356.tif 000016
2004530356.tif 000017
2004530356.tif 000018
2004530356.tif 000019
2004530356.tif 000020
2004530356.tif 000021
2004530356.tif 000022
2004530356.tif 000023
2004530356.tif 000024
2004530356.tif 000025
2004530356.tif 000026
2004530356.tif 000027
2004530356.tif 000028
2004530356.tif 000029
2004530356.tif 000030
2004530356.tif 000031
2004530356.tif 000032
2004530356.tif 000033
2004530356.tif 000034
2004530356.tif 000035
2004530356.tif 000036
2004530356.tif 000037
2004530356.tif 000038
2004530356.tif 000039
2004530356.tif 000040
【国際調査報告】
2004530356.tif 000041
2004530356.tif 000042
2004530356.tif 000043
2004530356.tif 000044